(57)【特許請求の範囲】
【請求項１】
２以上の通信システムの間でモバイルセット(ＭＳ)を分離する方法であって、
(ａ)一つの通信システムのサービスノードが前記ＭＳに分離要求を伝送するステップと、
(ｂ)前記サービスノードが、他の通信システムのサービスノードに前記ＭＳに対するコンテキスト削除要求メッセージを伝送するステップと、
を含み、
前記通信システムのサービスノードと前記他の通信システムのサービスノードは相異なる通信システムのサービスノードであり、
前記通信システムのサービスノードと前記他の通信システムのサービスノードは共に前記ＭＳに関連したコンテキスト情報を格納し、
前記ＭＳは、領域のアップデートなしに、前記通信システムのサービスノードと前記他の通信システムのサービスノードとの間で移動することを特徴とする方法。
【請求項２】
２以上の通信システムの間でモバイルセット(ＭＳ)を分離する方法であって、
(ａ)一つの通信システムのサービスノードが前記ＭＳから分離要求を受信するステップと、
(ｂ)前記サービスノードが他の通信システムのサービスノードに前記ＭＳに対するコンテキスト削除要求メッセージを伝送するステップと、
を含み、
前記通信システムのサービスノードと前記他の通信システムのサービスノードは相異なる通信システムのサービスノードであり、
前記通信システムのサービスノードと前記他の通信システムのサービスノードは共に前記ＭＳに関連したコンテキスト情報を格納し、
前記ＭＳは、領域のアップデートなしに、前記通信システムのサービスノードと前記他の通信システムのサービスノードとの間で移動することを特徴とする方法。
【請求項３】
前記ステップ(ａ)における前記通信システム内の他のサービスノードは、前記ＭＳの関連情報をディスエーブルすることを特徴とする請求項１又は２に記載の方法。
【請求項４】
前記ステップ(ｂ)における前記通信システムの他のサービスノードは、前記ＭＳの関連情報をディスエーブルすることを特徴とする請求項１又は２に記載の方法。
【請求項５】
前記ステップ(ａ)又は(ｂ)で、前記通信システムのサービスノードは、前記ＭＳのＨＳＳに分離インジケータを伝送することを特徴とする請求項１又は２に記載の方法。
【請求項６】
オペレータによる設定操作を通じて、前記ステップ(ａ)での前記サービスノードは、前記ステップ(ｂ)での通信システムの前記サービスノードと同一の同等のルート領域（ＥＲＡ）を共有することがわかることを特徴とする請求項１又は２に記載の方法。
【請求項７】
前記ＭＳから伝送されるメッセージを通じて、前記ステップ(ａ)での前記サービスノードは、前記ステップ(ｂ)での通信システムで前記サービスノードと同一のＥＲＡを共有することがわかることを特徴とする請求項１又は２に記載の方法。
【請求項８】
一つの通信システムの前記サービスノードは、前記ＭＳの関連情報を削除することを特徴とする請求項３又は４に記載の方法。
【請求項９】
少なくとも２つの通信システムが同一のＥＲＡを共有することを特徴とする請求項１又は２に記載の方法。
【請求項１０】
前記通信システムのサービスノードは、前記ステップ(ａ)の前記分離要求を伝送した後に前記ステップ(ｂ)で前記コンテキスト削除要求メッセージを生成することを特徴とする請求項１又は２に記載の方法。
【請求項１１】
前記ステップ(ａ)及び(ｂ)を遂行する順序は制限されないことを特徴とする請求項１に記載の方法。
【請求項１２】
前記通信システムは、
向上した携帯電話システム、向上した狭帯域携帯電話システム、移動通信のためのグローバルシステム、向上したデータレートＧＳＭ(登録商標)環境、一般的なパケット無線サービス、一般的な移動通信システム、周波数分割多重アクセス、ＩＳ-５５時分割多重アクセスデジタルセル、ＩＳ-１３６ＴＤＭＡデジタルセルシステム、ＩＳ-９５符号分割多重アクセスデジタルセルシステム、オン-デマンド(on-demand)割り当てモード(ＤＡ/ＴＤＭＡ、ＤＡ/ＣＤＭＡ、ＤＡ/ＦＤＭＡ)、広帯域符号分割多重アクセスシステム、ＣＤＭＡ２０００、ＩＭＴ-２０００、及び個人無線通信システムを含むグループから選択された一つのシステムであることを特徴とする請求項１又は２に記載の方法。
【請求項１３】
前記コンテキスト削除要求メッセージに対する応答として、前記サービスノードは、前記他の通信システムのサービスノードからコンテキスト削除応答メッセージを受信するステップをさらに含むことを特徴とする請求項１又は２に記載の方法。
【発明の詳細な説明】
【技術分野】
【０００１】
本発明は通信分野に関するもので、特に同一の同等のルート領域(Equivalent  Route  Area：以下、“ＥＲＡ”と称する）を共有する２個以上の通信システムからモバイルセット(mobile  set：以下、“ＭＳ”と称する)を分離する(detaching)ための方法に関する。
【背景技術】
【０００２】
一般に、管理の便宜のために、移動通信システムのサービス領域は、サービスノードによって各々管理されるいくつかの異なるルート領域(Route  Area：以下、“ＲＡ”と称する）に分割されることができる。ＭＳが移動通信システムで登録された後に、それが位置するＲＡについて知るようになる。加入者が移動通信システム内で移動すると、ＭＳは新たなＲＡに入るか、あるいは周期的なＲＡアップデートプロセスを開始する必要があることがわかる場合に、このＭＳのためにＲＡアップデートのプロセスの実行が必要である。ＲＡアップデートプロセス中に、サービスノードが変更されると、ＭＳに関する情報は、新たなサービスノードに転送された後に元のサービスノードから削除される。
【０００３】
通常、分離プロセスは、ＭＳがこれ以上任意のサービスを必要としないことをネットワークに知らせるために、あるいはネットワークがＭＳにこれ以上任意のサービスを提供しないことを知らせるために遂行されることができる。ＭＳは、明示的又は黙示的に分離できる。黙示的な分離は、ネットワークが何の通知もなしにＭＳを分離することを意味する一方、明示的な分離は、ネットワーク又はＭＳが明示的に分離プロセスを実行することを意味する。例えば、このシステムは、所定の時間区間でＭＳからメッセージを受信せず、あるいは(解決できない)誤りがシステムとＭＳとの間の物理的リンクに発生する。ネットワークがＭＳを分離するプロセスは、ＭＳにサービスを提供する(ネットワーク内の)サービスノード、又はＭＳに対応するホームネットワークレジスタ(以下、“ＨＳＳ”と称する）によって開始されることができる。分離プロセスが完了した後に、ＭＳは分離状態であることをＨＳＳに知らせる必要がある。
【０００４】
一般的に、ＭＳが一つの移動通信システムのサービス領域からもう一つの新たな移動通信システムのサービス領域に移動する場合に、２つの通信システムのＲＡは異なる。この場合、ＭＳと新たな移動通信システムのサービスノードとの間でＲＡアップデートプロセスを遂行する必要がある。また、このプロセス中に、一連のプロセスは、新たな移動通信システムのサービスノードと元の移動通信システムのサービスノードとの間で、ＭＳの移動性を支援するために関連情報を交換するように実行されることができる。２個のプロセスは、ＭＳが元の通信システムに戻ると、実現されるために必要である。
【０００５】
現在、ＥＲＡ方法は、ＭＳが移動通信システムの間でスイッチングする間に上記したプロセスを効果的に短縮させるために採用される。この方法では、移動通信システムのＲＡと他の移動通信システムのＲＡは、一つのＥＲＡとして考えられる。初めてＭＳが移動通信システムのＲＡから他の移動通信システムのＲＡに移動する場合に、２つの移動通信システムの２個のサービスノードは、ＭＳの関連情報を交換し、それによってＭＳの関連情報が、２個の移動通信システムのサービスノードに保存される。このようにして、ＭＳがＥＲＡ内で移動し、あるいは新たな移動通信システムに入るという事実は、同一のサービスノードの一つのＲＡ内で移動することとして見なされる。したがって、任意のＲＡアップデートプロセス又は対応する情報交換を遂行することは不要である。
【０００６】
しかしながら、ＭＳが２個以上の通信システムによって共有されるＥＲＡから分離されるプロセス中にＭＳが移動する場合には、いくつかの利用可能な方法が全くないが、ＭＳが通信システムの一つのみから分離されることをサポートする。したがって、ＭＳがパワーオフ状態である場合に、他の通信システム(しかしながら、同一のＥＲＡ内）のサービスノードは、関連情報に対してまだ知らない。したがって、システムリソースの浪費をもたらす。
【発明の概要】
【発明が解決しようとする課題】
【０００７】
したがって、上記した従来技術の問題点を解決するための本発明の目的は、同一のＥＲＡを共有する２個以上の通信システムの間で移動するＭＳを分離するための方法を提供することにあり、通信システムのＥＲＡ内ですべてのサービスノードはＭＳの関連情報を正確に管理することができる。
【課題を解決するための手段】
【０００８】
上記のような目的を達成するために、本発明の一態様によれば、通信システムの間で移動するＥＲＡ内のモバイルセット(ＭＳ)を分離する方法であって、(ａ)通信システムのサービスノードが前記ＭＳに分離要求を伝送するステップと、(ｂ)前記サービスノードが、少なくとも一つの他のサービスノードに前記ＭＳに対するコンテキスト削除要求メッセージを伝送するステップと、を有することを特徴とする。
【０００９】
本発明の他の態様によれば、通信システムの間で移動するＥＲＡ内のモバイルセット(ＭＳ)を分離する方法であって、(ａ)前記ＭＳが一つの通信システムのサービスノードに分離要求を伝送するステップと、(ｂ)前記サービスノードが少なくとも一つの他のサービスノードに前記ＭＳに対するコンテキスト削除要求メッセージを伝送するステップと、を有することを特徴とする。
【００１０】
また、本発明の他の態様によれば、通信システムの間で移動するＥＲＡ内のモバイルセット(ＭＳ)を分離する方法であって、(ａ)前記ＭＳのホームネットワークレジスタが一つの通信システムのサービスノードに分離要求を伝送するステップと、(ｂ)前記サービスノードが少なくとも一つの他のサービスノードに前記ＭＳに対するコンテキスト削除要求メッセージを伝送するステップと、を有することを特徴とする。
【発明の効果】
【００１１】
本発明は、ＭＳが同一のＥＲＡを共有する２個以上の通信システムから分離される場合に、ＥＲＡ内ですべての通信システムのサービスノードは上記ＭＳの関連情報を正確に管理することができる効果を有する。
【図面の簡単な説明】
【００１２】
【図１】本発明の実施形態による無線通信システムのブロック構成図である。
【図２】本発明の実施形態による他の無線通信システムのブロック構成図である。
【図３】本発明の実施形態によるＥＲＡを示す図である。
【図４】本発明の第１の実施形態によるプロセスを示す図である。
【図５】本発明の第２の実施形態によるプロセスを示す図である。
【図６】本発明の第３の実施形態によるプロセスを示す図である。
【発明を実施するための形態】
【００１３】
本発明は、同一のＥＲＡを共有する２個以上の通信システムの間でＭＳを分離する方法に関するものである。この方法で、ＭＳが同一のＥＲＡを共有する２個以上の通信システムから分離される場合に、ＥＲＡ内ですべての通信システムのサービスノードは、このＭＳの関連情報を正確に管理することができる。分離プロセスが一つの通信システムでＭＳとサービスノードとの間で遂行される間に、サービスノードは、一つのメッセージ(又は数個の異なるメッセージ）を生成し、このメッセージを(これらメッセージを)ＥＲＡ内で一つ以上の通信システムのサービスノードに伝送する。メッセージが一つの通信システムの(ＥＲＡ内の)サービスノードに伝送されると、このサービスノードは、他の通信システム(ら）の(ＥＲＡ内の)サービスノードにこのメッセージ(又はメッセージによって生成されたメッセージ(ら))を伝送する。ＥＲＡ内のサービスノードは、ＭＳの関連情報をディスエーブルする。分離プロセスは、ＥＲＡ内のサービスノードとＭＳのＨＳＳとの間で遂行されることができる。
【００１４】
以下、本発明の３つの望ましい実施形態を添付の図面を参照して詳細に説明する。
【００１５】
特に、通信システムは、次の通信標準のうち少なくとも一つに従う無線通信システムである。この標準は、アナログ、デジタル、又はアナログ/デジタルデュアルモード通信システムプロトコルを含んでいるが、これに限定されない。例えば(これに制限されないが)、ＡＭＰＳ(Advanced Mobile Phone System)、ＮＡＭＰＳ(Narrow-band Advanced Mobile Phone System)、ＧＳＭ(登録商標)(Global System for Mobile communication)、ＥＤＧＥ(Enhanced Data rate GSM(登録商標) Evolvement)、ＧＰＲＳ(General Packet Radio Service)、ＵＭＴＳ(Universal Mobile Telecommunication System)、ＦＤＭＡ(Frequency-Division Multiple Access)、ＩＳ-５５ＴＤＭＡ(Time-Division Multiple Access)デジタルセル、ＩＳ-１３６ＴＤＭＡデジタルセル、ＩＳ-９５ＣＤＭＡ(Code-Division Multiple Access)デジタルセル、オンデマンド割り当て(on-Demand Allocation)モード(ＤＡ/ＴＤＭＡ、ＤＡ/ＣＤＭＡ、ＤＡ/ＦＤＭＡ)、ＷＣＤＭＡ(Wideband Code-Division Multiple Access)、ＣＤＭＡ２０００、ＩＭＴ-２０００、ＰＣＳ/ＰＨＳ(Personal radio Communication System)、３ＧＰＰ、３ＧＰＰ２、及びこれらプロトコルの変化と進化(evolvement)がある。本発明の通信システムは、次の説明で通信ネットワークシステムのすべての種類に対してさらに言及される。これら通信システムのノードは、異なる加入者を区別する必要がある。例えば、通信ネットワークシステムは、アクセスする必要のある加入者がローカル加入者であるか、あるいはローミング加入者であるかを判定する。又は異なるネットワークは、例えば加入者が通信ネットワークシステムにアクセスする場合、アクセスされるネットワークがサインされたホームネットワークであるか、あるいは訪問ネットワークであるかを見分けなければならない。ネットワークは、ローカルエリアネットワーク(Local Area Network：ＬＡＮ)、無線ローカルエリアネットワーク(Wireless Local Area Network：ＷＬＡＮ）などを含んでいるが、それに限定されない。曖昧な説明を避けるために、当該分野でよく知られている機能又は装置に対する詳細な説明を省略する。
【００１６】
図１を参照すると、無線通信システム１００は、バックボーン(backbone)ネットワーク１１０と、ルート領域(ＲＡ)１８０内で共にサービスを提供する無線ネットワーク制御器(Radio  Network  Controller：以下、“ＲＮＣ”と称する)１４０，１４１のグループとを含む。一般的に、ＲＮＣは、信号の符号化/復号化、ハンドオーバー決定、及びアクセス決定を遂行する。無線通信システム１００は、ＦＤＭＡベースの通信システム、ＴＤＭＡベースの通信システム又はＣＤＭＡベースの通信システムとなるが、これに限定されない。通信バックボーンネットワーク１１０がＧＧＳＮ(Gateway  GPRS  Support  Node)１２０と、ＳＧＳＮ(Service  GPRS  Support  Node)１３０とを含むことはよく知られている。一つ以上の関連基地局(以下、“Ｎｏｄｅ  Ｂ”と称する）１５０，１５１，１５２を用いて、それぞれのＲＮＣ１４０，１４１は、全体ＲＡ１８０内の通信セル１６０，１６１，１６２でサービスを提供する。説明の便宜のために、ＲＮＣ及びＮｏｄｅ  Ｂは、本発明の観点から説明する。本発明が但しＲＮＣ及びＮｏｄｅ  Ｂに限定されることを意味しないため、基地局制御器(Base  Station  Controller：ＢＴＣ)、基地局(Base  Station：ＢＴＳ）と他の類似した技術が本発明を実現するために使用されることは、当業者には自明である。実際の標準によると、ＧＧＳＮ１２０、ＳＧＳＮ１３０、ＲＮＣ１４０、及びＮｏｄｅ  Ｂ１５０は通信セル１６０でＭＳ(Mobile  Set）１７０に無線通信サービスを提供する。上記したすべてのシステムは、モトローラ会社から購入するなど、商業的に獲得されることができる。
【００１７】
図２を参照すると、無線通信システム２００は、通信中継ネットワーク２１０と、向上した基地局(Enhanced  base  Station：Ｅ-Ｎｏｄｅ  Ｂ）のグループ２３０，２３１とから構成され、これらは、一緒にＲＡ２６０内でサービスを提供する。無線通信システム２００は、ＦＤＭＡベースの通信システム、ＴＤＭＡベースの通信システム又はＣＤＭＡベースの通信システムとなるが、それに限定されない。通信バックボーンネットワーク１１０は、信号暗号化/復号化(encryption/decryption)、ハンドオーバー決定及びアクセス決定を遂行する移動管理エンティティ/ユーザープレーンエンティティ(Mobile  Management  Entity/User  Plane  Entity：ＭＭＥ/ＵＰＥ)２２０を含むことがよく知られている。Ｅ-Ｎｏｄｅ  Ｂ２３０，２３１は、各々全体ＲＡですべての通信セル２４０，２４１に対してサービスを提供する。実際の標準によると、ＭＭＥ/ＵＰＥ２２０及びＥ-Ｎｏｄｅ  Ｂ２３０は、通信セル２４０内でＭＳ２５０に無線通信サービスを提供する。上記したそれぞれのシステムは、商業的に獲得可能であると予想される。
【００１８】
図３を参照すると、無線通信システム１００のＲＡ１８０と無線通信システム２００のＲＡ２６０は、ＥＲＡ１として定義される。
【００１９】
＜第１の実施形態＞
【００２０】
第１の実施形態において、分離決定は、無線通信システム１００のサービスノードＳＧＳＮ１３０と無線通信システム２００のサービスノードＭＭＥ/ＵＰＥ２２０によって共有されるＥＲＡでＭＳに対して遂行される。実際に、無線通信システム１００と無線通信システム２００との間でＭＳの現在の選択に従って、ＭＳは、無線通信システム１００のサービスノードＳＧＳＮ１３０又は無線通信システム２００のサービスノードＭＭＥ/ＵＰＥ２００に分離要求を伝送する。その実施形態は、２つのケースと同様である。長々とした説明を避けるために、以後の詳細な説明を省略する。図４は、本発明の第１の実施形態によるプロセスを示す。
【００２１】
ステップ４００で、ＭＳは、システムから分離されることに決定される。
【００２２】
ステップ４０１で、ＭＳは、無線通信システム１００のサービスノードＳＧＳＮ１３０に分離要求を伝送する。
【００２３】
ステップ４０２で、サービスノードＳＧＳＮ１３０は、無線通信システム２００のサービスノードＭＭＥ/ＵＰＥ２２０にＭＳを削除するための(ＭＳに対応する)コンテキスト削除要求メッセージを伝送する。
【００２４】
サービスノードＳＧＳＮ１３０は、いくつかの選択的な方法を通じてサービスノードＭＭＥ/ＵＰＥ２２０の位置を獲得する。
【００２５】
一つの方法は、ステップ４００の前に、オペレータによる設定操作のようなプロセスを通じて、ＳＧＳＮ１３０がノードＭＭＥ/ＵＰＥ２２０と同一のＥＲＡを共有することが得られる。したがって、ステップ４０１で、上記分離要求を受信した後に、ＳＧＳＮ１３０は、ノードＭＭＥ/ＵＰＥ２２０にコンテキスト削除要求メッセージを伝送する。
【００２６】
もう一つの可能な方法は、ＭＳが、ステップ４０１で、分離要求中にノードＭＭＥ/ＵＰＥ２２０のアドレス、ノードＭＭＥ/ＵＰＥ２２０の識別子、ＭＳに割り当てられたノードＭＭＥ/ＵＰＥ２２０の識別子、及び/又は通信システム２００のノードＭＭＥ/ＵＰＥ２２０のＲＡの識別子のような情報を含むことである。上記メッセージでは、サービスノードＳＧＳＮ１３０は、ノードＭＭＥ/ＵＰＥ２２０の位置を獲得することができる。
【００２７】
ステップ４０３で、サービスノードＭＭＥ/ＵＰＥ２２０は、サービスノードＳＧＳＮ１３０にコンテキスト削除応答(Delete  Context  Response）を伝送する。
【００２８】
ステップ４０４で、サービスノードＳＧＳＮ１３０は、ＭＳに分離承認を伝送する。
【００２９】
ステップ４０５で、サービスノードＳＧＳＮ１３０は、ＨＳＳに分離インジケータを伝送する。第１の実施形態で、ＨＳＳを格納する情報は、ＭＳがノードＳＧＳＮ１３０に接続されることに関するものである。実際に、ＨＳＳが保存する情報が、ＭＳがノードＭＭＥ/ＵＰＥ２２０に接続されることに関するものであると、ノードＭＭＥ/ＵＰＥ２２０は、ＨＳＳに分離インジケータを伝送するために採択されることができる。
【００３０】
あるいは、この実施形態において、ステップ４０３を通じてステップ４０４とステップ４０２との間に存在する時間シーケンスがなくてもよい。
【００３１】
又は、この実施形態において、ステップ４０４を通じてステップ４０５とステップ４０２との間に存在する時間シーケンスがなくてもよい。
【００３２】
その他に、サービスノードＳＧＳＮ１３０は、ステップ４０１以後にＭＳの関連コンテキスト情報をディスエーブル及び/又は削除する。
【００３３】
また、サービスノードＭＭＥ/ＵＰＥ２２０は、ステップ４０２以後にＭＳの関連コンテキスト情報をディスエーブル及び/又は削除する。
【００３４】
＜第２の実施形態＞
【００３５】
第２の実施形態で、無線通信システム１００のサービスノードＳＧＳＮ１３０と無線通信システム２００のサービスノードＭＭＥ/ＵＰＥ２２０によって共有されるＥＲＡ内で、サービスノードＭＭＥ/ＵＰＥ２２０は、ＵＥを分離することを決定する。同様に、サービスノードＳＧＳＮ１３０も、ＵＥを分離すると決定する。この実施形態は、２つのケースと同様である。長々とした説明を避けるために、以後に詳細な説明は省略する。図５は、本発明の第２の実施形態によるプロセスを示す。
【００３６】
ステップ５００で、ＭＭＥ/ＵＰＥ２２０は、ＵＥを分離することに決定する。
【００３７】
ステップ５０１で、サービスノードＭＭＥ/ＵＰＥ２２０は、ＵＥに分離要求を伝送する。
【００３８】
ステップ５０２で、サービスノードＭＭＥ/ＵＰＥ２２０は、無線通信システム１００のサービスノードＳＧＳＮ１３０にコンテキスト削除要求メッセージを伝送する。サービスノードＭＭＥ/ＵＰＥ２２０は、いくつかの選択的な方法を通じてサービスノードＳＧＳＮ１３０の位置を獲得する。
【００３９】
一つの方法は、ステップ５００以前に、オペレータによる設定操作のようなプロセスを通じて、ＭＭＥ/ＵＰＥ２２０は、ノードＳＧＳＮ１３０と同一のＥＲＡを共有することを獲得する。したがって、ステップ５０１で分離要求を受信した後に、ＳＧＳＮ１３０は、ノードＳＧＳＮ１３０にコンテキスト削除要求メッセージを伝送することに決定する。
【００４０】
ステップ５０３で、サービスノードＳＧＳＮ１３０は、サービスノードＭＭＥ/ＵＰＥ２２０にコンテキスト削除応答を伝送する。
【００４１】
ステップ５０４で、ＭＳは、サービスノードＭＭＥ/ＵＰＥ２２０に分離承認メッセージを伝送する。
【００４２】
ステップ５０５で、サービスノードＭＭＥ/ＵＰＥ２２０は、ＨＳＳに分離インジケータを伝送する。第２の実施形態において、ＨＳＳが保存する情報は、ＭＳがノードＭＭＥ/ＵＰＥ２２０に接続されることに関するものである。実際に、ＨＳＳが保存する情報は、ＭＳがノードＳＧＳＮ１３０に接続されることに関するものであると、ノードＳＧＳＮ１３０は、ＨＳＳに分離インジケータを伝送するために採択されることができる。
【００４３】
あるいは、第２の実施形態において、ステップ５０３を通じるステップ５０４とステップ５０２との間に時間シーケンスは存在しなくてもよい。
【００４４】
その他に、第２の実施形態において、ステップ５０４を通じるステップ５０５とステップ５０２との間に時間シーケンスは存在しなくてもよい。
【００４５】
もう一つに、サービスノードＭＭＥ/ＵＰＥ２２０は、ステップ５０１以後にＭＳ関連コンテキスト情報をディスエーブル及び/又は削除する。
【００４６】
その他に、サービスノードＳＧＳＮ１３０は、ステップ５０２以後にＭＳ関連コンテキスト情報をディスエーブル及び/又は削除する。
【００４７】
＜第３の実施形態＞
【００４８】
第３の実施形態において、ＭＳは、無線通信システム１００のサービスノードＳＧＳＮ１３０と無線通信システム２００のサービスノードＭＭＥ/ＵＰＥ２２０によって共有されるＥＲＡに位置する。ＨＳＳは、ＵＥを分離することを決定する。実際に、ＨＳＳに保存された情報は、ＭＳが位置した無線通信システム、すなわち無線通信システム１００又は無線通信システム２００を示す。実施形態は２つのケースと同様である。長々とした説明を避けるために、以後に詳細な説明を省略する。図６は、本発明の第３の実施形態によるプロセスを示す。
【００４９】
ステップ６００で、ＨＳＳは、無線通信システム１００のサービスノードＳＧＳＮ１３０に位置取消メッセージ(cancel  location  message)を伝送する。
【００５０】
ステップ６０１で、サービスノードＳＧＳＮ１３０は、ＵＥに分離要求メッセージを伝送する。
【００５１】
ステップ６０１で、サービスノードＳＧＳＮ１３０は、無線通信システム２００のサービスノードＭＭＥ/ＵＰＥ２２０にコンテキスト削除要求メッセージを伝送する。サービスノードＳＧＳＮ１３０は、いくつかの選択的な方法を通じてサービスノードＭＭＥ/ＵＰＥ２２０の位置を獲得する。一つの方法で、ステップ６００以前に、オペレータによる設定操作のようなプロセスを通じて、ＳＧＳＮ１３０は、ノードＭＭＥ/ＵＰＥ２２０と同一のＥＲＡを共有することがわかる。したがって、ステップ６０１で、分離要求を受信した後に、ＳＧＳＮ１３０は、ノードＭＭＥ/ＵＰＥ２２０にコンテキスト削除要求メッセージを伝送することができる。
【００５２】
ステップ６０３で、サービスノードＭＭＥ/ＵＰＥ２２０は、サービスノードＳＧＳＮ１３０にコンテキスト削除応答を伝送する。
【００５３】
ステップ６０４で、ＭＳは、サービスノードＳＧＳＮ１３０に分離承認メッセージを伝送する。
【００５４】
ステップ６０５で、サービスノードＳＧＳＮ１３０は、ＨＳＳに分離インジケータを伝送する。
【００５５】
その他に、第３の実施形態において、ステップ６０３を通じるステップ６０２とステップ６０１、６０４、６０５との間に順序は存在しない。
【００５６】
あるいは、ＳＧＳＮ１３０は、ステップ６００以後にＭＳの関連コンテキスト情報をディスエーブル及び/又は削除する。
【００５７】
もう一つに、サービスノードＭＭＥ/ＵＰＥ２２０は、ステップ６０２以後にＭＳの関連コンテキスト情報をディスエーブル及び/又は削除する。
【００５８】
以上、本発明を具体的な実施形態に関して図示及び説明したが、添付した特許請求の範囲により規定されるような本発明の精神及び原則を外れることなく、形式や細部の様々な変更が可能であることは、当該技術分野における通常の知識を持つ者には明らかである。
【符号の説明】
【００５９】
１００      無線通信システム
１１０      通信バックボーンネットワーク
１３０      サービスノードＳＧＳＮ
１４０，１４１      無線ネットワーク制御器
１５０      Ｎｏｄｅ  Ｂ
１６０      通信セル
１８０      全体ＲＡ
２００      無線通信システム
２１０      通信中継ネットワーク
２２０      サービスノードＭＭＥ/ＵＰＥ
２３０，２３１      Ｅ-Ｎｏｄｅ  Ｂ
２４０，２４１      通信セル
２５０      ＭＳ
２６０      ＲＡ
【図１】
0005647196.tif 000002
【図２】
0005647196.tif 000003
【図３】
0005647196.tif 000004
【図４】
0005647196.tif 000005
【図５】
0005647196.tif 000006
【図６】
0005647196.tif 000007